(57)【要約】【課題】組み付け強度を損なわずに組み付け精度を高くする。【解決手段】レンズ支持部２−ａにレンズ３が接着剤４によって接着するまでチャックするためのチャック手段５は、２本のアームＡ、Ｂで構成され、レンズ３の側面を２本のアームＡ、Ｂで挟み込むようにレンズ３をチャッキングする。アームＡは、レンズ３を１平面で支え、アームＡの上部は固定して設けられ、アームＢは、レンズ３をその光軸方向に形成された２本の稜線で支え、アームＢの上部は退避自在に与圧するように設ける。【選択図】図１
2005077449.tif 000002
【特許請求の範囲】
【請求項１】
光源と、前記光源を保持しているベースと、前記光源の光軸と同軸に前記ベースに保持されたコリメータレンズ或いは集光レンズとを備え、前記ベースにレンズ支持部を形成し、前記レンズ支持部上に前記コリメータレンズ或いは集光レンズを紫外線硬化型接着剤によって固定接着している光源装置の前記コリメータレンズ或いは集光レンズの接着方法において、前記光源及び前記コリメータレンズ或いは集光レンズの光軸方向は水平方向にセットし、前記コリメータレンズ或いは集光レンズを接着するまでチャッキングするためのチャック手段は、２本のアームで該コリメータレンズ或いは集光レンズの側面の接着されない部分を挟み込むように構成され、そのうち一方のアーム（アームＡ）は該コリメータレンズ或いは集光レンズを１平面で支えていて固定されて設けられており、もう一方のアーム（アームＢ）は該コリメータレンズ或いは集光レンズを該コリメータレンズ或いは集光レンズの光軸方向に形成された２本の稜線で支えていて退避自在に与圧するように設けられていることを特徴とする光源装置の製造方法。
【請求項２】
前記レンズ支持部の接着面の形状は、前記レンズの中心を通る鉛直線と前記レンズの光軸線とがなす平面に対して略左右対称であることを特徴とする請求項１記載の光源装置の製造方法。
【請求項３】
前記レンズ支持部の接着面は、前記コリメータレンズ或いは集光レンズの外周円よりもわずかに径の大きな円弧状の形状であって、該光源の光軸と同心となるように該ベースに形成されていることを特徴とする請求項２記載の光源装置の製造方法。
【請求項４】
前記レンズ支持部の接着面は、半円以下の円弧であることを特徴とする請求項３記載の光源装置の製造方法。
【請求項５】
前記レンズ支持部には穴が設けられていることを特徴とする請求項２〜４のいずれか一つに記載の光源装置の製造方法。
【請求項６】
前記レンズ支持部の穴形状は、該レンズの中心を通る鉛直線と該レンズの光軸線とがなす平面に対して略左右対称であることを特徴とする請求項５記載の光源装置の製造方法。
【請求項７】
前記レンズ支持部は透明であることを特徴とする請求項２〜４のいずれか一つに記載の光源装置の製造方法。
【請求項８】
前記アームＡの該コリメータレンズ或いは集光レンズを支える面は鉛直方向に形成されていることを特徴とする請求項１記載の光源装置の製造方法。
【請求項９】
前記アームＢの該コリメータレンズ或いは集光レンズを支持している２稜線は、該コリメータレンズ或いは集光レンズに対して互いに略上下対称の位置にあることを特徴とする請求項１記載の光源装置の製造方法。
【請求項１０】
前記アームＢは、該コリメータレンズ或いは集光レンズを該コリメータレンズ或いは集光レンズの光軸方向に形成された１本の稜線と前記稜線上にない１点で支えていることを特徴とする請求項１記載の光源装置の製造方法。
【請求項１１】
前記アームＢは、該コリメータレンズ或いは集光レンズを同一直線上にない３点で支えていることを特徴とする請求項１記載の光源装置の製造方法。
【請求項１２】
前記アームＢの該コリメータレンズ或いは集光レンズから退避可能な方向は、前記アームＡの該コリメータレンズ或いは集光レンズを支える面に対して略垂直な方向であることを特徴とする請求項９〜１１のいずれか一つに記載の光源装置の製造方法。
【請求項１３】
前記アームＢの該コリメータレンズ或いは集光レンズに与える与圧力は、前記アームＢが該コリメータレンズ或いは集光レンズから退避するにつれて弱くなることを特徴とする請求項１２記載の光源装置の製造方法。
【請求項１４】
前記チャック手段は、該コリメータレンズ或いは集光レンズの光軸を中心とした回転方向を除く５自由度の位置調整機構を備えていることを特徴とする請求項１記載の光源装置の製造方法。
【請求項１５】
前記ベースは、前記チャック手段に対して相対的に該コリメータレンズ或いは集光レンズの光軸を中心とした回転方向を除く５自由度の位置調整機構にセットされていることを特徴とする請求項１記載の光源装置の製造方法。
【請求項１６】
請求項１〜１５のいずれか一つに記載されている製造方法で製造されることを特徴とする光源装置。
【請求項１７】
請求項１６に記載されている光源装置を用いることを特徴とする記録装置。
【請求項１８】
１個のベース上に、光源とコリメータレンズ或いは集光レンズとの組み合わせを複数個設けることを特徴とする請求項１６記載の光源装置。
【請求項１９】
請求項１８に記載されている光源装置を用いることを特徴とする記録装置。
【発明の詳細な説明】
【技術分野】
【０００１】
本発明は、高精度の記録が要求される光学記録系の光源装置の製造に関する。
【背景技術】
【０００２】
半導体レーザ等を用いた光源装置においては、その光学特性として、光源装置より射出されるレーザ光の方向性や光束の平行性などが要求される。光源装置は半導体レーザの発光点とレンズの相対位置を高精度に決める必要がある。
【０００３】
例えば、紫外線硬化型接着剤を用いて鏡筒を組み付けるときのエネルギーロスを低減するために、半導体レーザを保持するレーザホルダの筒状部分と、コリメータレンズと一体成形された透明な鏡筒の張出部の間に紫外線硬化型接着剤を介在させ、紫外線照射機から照射される紫外線によって紫外線硬化型接着剤を硬化させ、鏡筒の張出部の表面は凸面状に隆起しており、紫外線を集光させる集光レンズとして機能する光源装置がある（例えば、特許文献１を参照）。特許文献１では、半導体レーザとレンズとの位置関係について光軸方向に垂直な方向の２軸に関する調整はされておらず、機械的な嵌合の精度で位置決めしている。そして光軸方向についてはピント調節を行ったうえで、紫外線硬化型接着剤を用いて両者の位置関係を固定している。紫外線硬化型接着剤は生産タクト短縮に有利であり、また信頼性にも優れているのでレンズ接着ではよく用いられる。しかし、近年、画像記録装置などの高解像度化や高精度化が進んでおり、画像記録装置でよく用いられる光学記録の光源装置についても高精度化が求められており、その位置精度はミクロン以下が要求されている。したがって、機械的な嵌合による位置決めには限界があり、半導体レーザの発光点とレンズの相対位置を３軸（ｘ、ｙ、ｚ）方向に調整する必要がある。したがって、半導体レーザとレンズを有する光源装置においては、３軸方向の位置調整及び調整された位置での固定が可能な構造でなければならない。
【０００４】
他の例として、構成部品の数が少なく、組み立て時に位置ズレを生じる恐れが無く、コリメータレンズを光硬化型の接着剤を用いて接着することのできる、安価で高精度な光源装置がある（例えば、特許文献２を参照）。この光源装置は、表裏を貫通する嵌合孔を有するベースと、ベース裏面側に位置して嵌合孔に嵌着された半導体レーザと、ベース表側であって貫通孔の前面に位置して半導体レーザの光軸と同軸に保持されたコリメータレンズと、該コリメータレンズより射出されるレーザ光を整形するアパーチャ形成部材とを備え、コリメータレンズの外周円よりも僅かに径の大きな断面円弧状のレンズ支持部を半導体レーザの光軸と同心となるように嵌合孔の前面に位置してベースに一体形成し、該レンズ支持部上にコリメータレンズを紫外線硬化接着剤を用いて接着固定する。特許文献２では、上記した問題を考慮したものである。レンズを接着剤で固定する場合、硬化時に接着剤の収縮が発生するので、収縮による光学特性への悪影響をなるべく少なくすることが理想的である。特に光源装置ではｚ方向（光軸方向）の要求精度が高いため、その収縮方向がｚ軸方向に発生しないように構成されている。したがって、ｘ、ｙ方向（光軸方向と直交する２方向）については収縮による接着後の位置ズレが発生することになるが、接着後の位置精度を確保するためにある程度の収縮量を見込んで初期位置をオフセットさせるのが一般的である。しかし、収縮量が定まってないとそのオフセットを与えることが困難になるため、その収縮方向をｘ、ｙ方向のどちらか片方だけになるようにして、収縮方向の１方向に限定している。
【０００５】
【特許文献１】特開平７−３２５２４１号公報
【特許文献２】特開平９−２４６６５７号公報
【発明の開示】
【発明が解決しようとする課題】
【０００６】
ところで、接着中もレンズが動かないようにチャックしなければならない。特許文献２ではチャック機構に関する詳細な説明はないが、たとえば、チャック手段でレンズを完全に固定した場合、接着完了後には接着剤の収縮により、レンズとレンズ支持部との間にストレスが発生する。これにより接着剤の剥離が起きやすくなる。さらに、チャック機構を離したときに、レンズに急激な反動が発生し、レンズの位置精度が損なわれるなどの問題が発生する。そのためにチャック機構を可動に設ける場合、レンズの位置決め精度が損なわれないような条件が必要となる。
【０００７】
本発明は、上記した問題点に鑑みてなされたもので、
本発明の目的は、組み付け強度を損なわずに組み付け精度の高い光源装置の製造方法、光源装置および記録装置を提供することにある。
【課題を解決するための手段】
【０００８】
本発明は、光源と、前記光源を保持しているベースと、前記光源の光軸と同軸に前記ベースに保持されたコリメータレンズ或いは集光レンズとを備え、前記ベースにレンズ支持部を形成し、前記レンズ支持部上に前記コリメータレンズ或いは集光レンズを紫外線硬化型接着剤によって固定接着している光源装置の前記コリメータレンズ或いは集光レンズの接着方法において、前記光源及び前記コリメータレンズ或いは集光レンズの光軸方向は水平方向にセットし、前記コリメータレンズ或いは集光レンズを接着するまでチャッキングするためのチャック手段は２本のアームで該コリメータレンズ或いは集光レンズの側面の接着されない部分を挟み込むように構成され、そのうち一方のアーム（アームＡ）は該コリメータレンズ或いは集光レンズを１平面で支えていて固定されて設けられており、もう一方のアーム（アームＢ）は該コリメータレンズ或いは集光レンズを該コリメータレンズ或いは集光レンズの光軸方向に形成された２本の稜線で支えていて退避自在に与圧するように設けられていることを最も主要な特徴とする。
【発明の効果】
【０００９】
請求項１では、光源と、前記光源を保持しているベースと、前記光源の光軸と同軸に前記ベースに保持されたコリメータレンズ或いは集光レンズとを備え、前記ベースにレンズ支持部を形成し、前記レンズ支持部上に前記コリメータレンズ或いは集光レンズを紫外線硬化型接着剤によって固定接着している光源装置の前記コリメータレンズ或いは集光レンズの接着方法において、前記光源及び前記コリメータレンズ或いは集光レンズの光軸方向は水平方向にセットし、前記コリメータレンズ或いは集光レンズを接着するまでチャッキングするためのチャック手段は２本のアームで該コリメータレンズ或いは集光レンズの側面の接着されない部分を挟み込むように構成され、そのうち一方のアーム（アームＡ）は該コリメータレンズ或いは集光レンズを１平面で支えていて固定されて設けられており、もう一方のアーム（アームＢ）は該コリメータレンズ或いは集光レンズを該コリメータレンズ或いは集光レンズの光軸方向に形成された２本の稜線で支えていて退避自在に与圧するように設けられているので、組み付け精度が高く、組み付け精度ばらつきが少なく、且つ組み付け強度の高い光源装置の製造が可能になる。
【００１０】
請求項２では、レンズ支持部の接着面の形状は、レンズの中心を通る鉛直線とレンズの光軸線とがなす平面に対して略左右対称であるので、紫外線硬化型接着剤の収縮方向を限定してレンズの初期位置のオフセット量出しとレンズチャック手段の構成を容易にすることが可能になる。
【００１１】
請求項３では、レンズ支持部の接着面は、前記コリメータレンズ或いは集光レンズの外周円よりもわずかに径の大きな円弧状の形状であって、光源の光軸と同心となるように該ベースに形成されているので、紫外線硬化型接着剤の層の厚みを均一化して、接着ムラを防止し、且つ効率のいい接着を行うことが可能になる
請求項４では、レンズ支持部の接着面は、半円以下の円弧であるので、紫外線硬化型接着剤の収縮方向を限定してレンズの初期位置のオフセット量出しとレンズチャック手段の構成をさらに容易にすることが可能になる。
【００１２】
請求項５では、レンズ支持部には穴が設けられているので、紫外線硬化型接着剤の硬化時間を短縮させることが可能になる。
【００１３】
請求項６では、レンズ支持部の穴形状は、レンズの中心を通る鉛直線と該レンズの光軸線とがなす平面に対して略左右対称であるので、紫外線硬化型接着剤の収縮方向のばらつきを防止することが可能になる。
【００１４】
請求項７では、レンズ支持部は透明であるので、紫外線硬化型接着剤の硬化時間を短縮させることが可能になる。
【００１５】
請求項８では、アームＡのコリメータレンズ或いは集光レンズを支える面は鉛直方向に形成されているので、紫外線硬化型接着剤の収縮によるレンズの移動方向を鉛直方向に限定することが可能になる。
【００１６】
請求項９では、アームＢのコリメータレンズ或いは集光レンズを支持している２稜線は、コリメータレンズ或いは集光レンズに対して互いに略上下対称の位置にあるので、レンズの安定したチャッキングを実現し、紫外線硬化型接着剤の収縮によるレンズの移動に対して確実にアームＢが退避することが可能になる。
【００１７】
請求項１０では、アームＢは、コリメータレンズ或いは集光レンズをコリメータレンズ或いは集光レンズの光軸方向に形成された１本の稜線と前記稜線上にない１点で支えているので、レンズの安定したチャッキングを実現することが可能になる。
【００１８】
請求項１１では、アームＢは、コリメータレンズ或いは集光レンズを同一直線上にない３点で支えているので、レンズの安定したチャッキングを実現することが可能になる。
【００１９】
請求項１２では、アームＢのコリメータレンズ或いは集光レンズから退避可能な方向は、アームＡのコリメータレンズ或いは集光レンズを支える面に対して略垂直な方向であるので、紫外線硬化型接着剤の収縮によるレンズの移動に対して確実にアームＢが退避することが可能になる。
【００２０】
請求項１３では、アームＢのコリメータレンズ或いは集光レンズに与える与圧力は、アームＢがコリメータレンズ或いは集光レンズから退避するにつれて弱くなるので、接着後のレンズに付与されるストレスを小さくして接着後の正確なレンズの位置決めを実現することが可能になる。
【００２１】
請求項１４では、チャック手段は、コリメータレンズ或いは集光レンズの光軸を中心とした回転方向を除く５自由度の位置調整機構を備えているので、光源に対するレンズの位置を３軸方向及び２つの回転方向に調整することが可能になる。
【００２２】
請求項１５では、ベースは、チャック手段に対して相対的にコリメータレンズ或いは集光レンズの光軸を中心とした回転方向を除く５自由度の位置調整機構にセットされているので、光源に対するレンズの位置を３軸方向及び２つの回転方向に調整することが可能になる。
【００２３】
請求項１６では、請求項１〜１５に記載されている製造方法で光源装置を製造しているので、請求項１〜１５の効果を併せ持った光源装置を提供することが可能になる。
【００２４】
請求項１７では、請求項１６に記載されている光源装置を記録装置に用いているので、高精度で高信頼性の記録系を持った記録装置を提供することが可能になる。
【００２５】
請求項１８では、１個のベース上に、光源とコリメータレンズ或いは集光レンズとの組み合わせを複数個設けているので、複数の光源を持った高精度の光源装置を提供することが可能になる。
【００２６】
請求項１９では、請求項１８に記載されている光源装置を記録装置に用いているので、高精度で高信頼性であって、且つ記録効率のよい記録系を持った記録装置を提供することが可能になる。
【発明を実施するための最良の形態】
【００２７】
請求項１では、組み付け精度が高く、組み付け精度のばらつきが少なく、且つ組み付け強度の高い光源装置の製造方法を提供している。
【００２８】
請求項２では、紫外線硬化型接着剤の収縮方向を限定してレンズの初期位置のオフセット量出しとレンズチャック手段の構成を容易にすることが可能な構成を明らかにしている。
【００２９】
請求項３では、紫外線硬化型接着剤の層の厚みを均一化して、接着ムラを防止し、且つ効率のよい接着を行うことが可能な構成を明らかにしている。
【００３０】
請求項４では、紫外線硬化型接着剤の収縮方向を限定してレンズの初期位置のオフセット量出しとレンズチャック手段の構成をさらに容易にすることが可能な構成を明らかにしている。
【００３１】
請求項５では、紫外線硬化型接着剤の硬化時間を短縮させることが可能な構成を明らかにしている。
【００３２】
請求項６では、紫外線硬化型接着剤の収縮方向のばらつきを防止することが可能な構成を明らかにしている。
【００３３】
請求項７では、紫外線硬化型接着剤の硬化時間を短縮させることが可能な構成を明らかにしている。
【００３４】
請求項８では、紫外線硬化型接着剤の収縮によるレンズの移動方向を鉛直方向に限定することが可能な構成を明らかにしている。
【００３５】
請求項９では、レンズの安定したチャッキングを実現し、紫外線硬化型接着剤の収縮によるレンズの移動に対して確実にアームＢが退避することが可能な構成を明らかにしている。
【００３６】
請求項１０では、レンズの安定したチャッキングを実現するためのチャック手段の他の構成を提供している。
【００３７】
請求項１１では、レンズの安定したチャッキングを実現するためのチャック手段の他の構成を提供している。
【００３８】
請求項１２では、紫外線硬化型接着剤の収縮によるレンズの移動に対して確実にアームＢが退避することが可能な構成を明らかにしている。
【００３９】
請求項１３では、接着後のレンズに付与されるストレスを小さくして接着後の正確なレンズの位置決めを実現することが可能な構成を明らかにしている。
【００４０】
請求項１４では、光源に対するレンズの位置を３軸方向及び２つの回転方向に調整することが可能な構成を明らかにしている。
【００４１】
請求項１５では、光源に対するレンズの位置を３軸方向及び２つの回転方向に調整することが可能な構成を明らかにしている。
【００４２】
請求項１６では、請求項１〜１５の効果を併せ持った光源装置を提供している。
【００４３】
請求項１７では、高精度で高信頼性の記録系を持った記録装置を提供している。
【００４４】
請求項１８では、複数の光源を持った高精度の光源装置を提供している。
【００４５】
請求項１９では、高精度で高信頼性であって、且つ記録効率のよい記録系を持った記録装置を提供している。
【実施例１】
【００４６】
本発明は、光源と、前記光源を保持しているベースと、前記光源の光軸と同軸に前記ベースに保持されたコリメータレンズ或いは集光レンズとを備え、前記ベースにレンズ支持部を形成し、前記レンズ支持部上に前記コリメータレンズ或いは集光レンズを紫外線硬化型接着剤によって固定接着している光源装置の前記コリメータレンズ或いは集光レンズの接着方法に関する発明である。
【００４７】
図１は、本発明の構成を示す。光源１は、その光軸方向が水平方向になるようにベース２に保持されている。光源１としてはＬＥＤ、白熱灯など種々のものが考えられるが、記録装置の光源として用いられるものとしては半導体レーザを用いるのが一般的なので、ここでは半導体レーザ１を用いた例で図示している。ベース２と半導体レーザについては、正確に位置決めがなされて固定されていることが望ましく、したがって、ベース２に嵌合孔を設け、その嵌合孔にそって正確に半導体レーザ１が嵌合されるような構成が取られている。
【００４８】
半導体レーザ１の光路の延長上にはレンズ３が配置されている。レンズ３にはコリメータレンズ或いは集光レンズが用いられることが多いが、レーザ光の光束の平行性が求められる場合にはコリメータレンズ、レーザ光を集光させて微小スポットとして用いる場合には集光レンズが用いられる。図１では集光レンズの場合について示してある。
【００４９】
レンズ３は最終的には半導体レーザ１の光軸に対して正確に位置合わせされて固定されなければならない。そこで、レンズ３はベース２に形成されたレンズ支持部２−ａに紫外線硬化型接着剤４で接着されている。紫外線硬化型接着剤４とは、紫外線を照射することによって硬化する接着剤のことであり、接着工程においては紫外線が照射されることになる。レンズ支持部２−ａはレンズの理論的に正しい位置に対してクリアランスを取って設けられている。このクリアランスはレンズ３の位置調整を行うための調整しろであり、且つ紫外線硬化型接着剤４を注入するスペースである。したがって、クリアランスが小さすぎると十分な調整しろが確保できなくなり、またクリアランスが大きすぎると紫外線硬化型接着剤４の層の厚みが大きくなって接着剤の収縮が大きくなってしまうので、適正な値０．１〜０．３ｍｍ程度に設定されるのが望ましい。
【００５０】
レンズ支持部２−ａの接着面の形状は、レンズ３の中心を通る鉛直線とレンズ３の光軸線とがなす平面に対して略左右対称としている。これの最も一般的な形状としては、レンズの外周円よりもわずかに径の大きな円弧状の形状が挙げられ、図１ではこの場合について示してある。円弧状ではなくても、レンズの中心を通る鉛直線とレンズの光軸線とがなす平面に対して略左右対称という条件を満たせば、図２、３に示すような形状でも可能である。これらの接着面でレンズ３がレンズ支持部２−ａに接着されるが、先にも述べたように紫外線硬化型接着剤４は硬化する過程において収縮が発生する。したがって、その影響で接着過程においてレンズ位置も移動することになる。したがって、接着後のレンズ３の位置精度を確保するために、レンズ３の初期位置は収縮量を見込んでオフセットされなければならないが、そのオフセットの条件を複雑にすることは好ましくない。
【００５１】
そこで、レンズ位置の移動方向を極力制限する必要がある。本発明によれば、光軸方向には接着面は作用しないので、光軸方向には収縮が発生しない。光軸方向と直交する２方向については接着面が作用するのでレンズ移動によるオフセットの条件出しが必要となってくる。一般的に紫外線硬化型接着剤４の収縮量は接着層の厚みに比例するので、接着面の形状をレンズ３の中心を通る鉛直線とレンズの光軸線とがなす平面に対して略左右対称としていれば、光軸と直交する２方向のうち水平方向については接着剤４の収縮が打ち消しあって、全体としてレンズの移動量はゼロに近くなる（図４）。したがって、紫外線硬化型接着剤４の収縮によるレンズ３の移動方向は、光軸と直交する２方向のうち鉛直方向だけとなる。また、同様にして接着面の形状をレンズ３の中心を通る水平面に対して略上下対称とすれば、鉛直方向については接着剤４の収縮が打ち消しあって、全体としてレンズ３の移動量はゼロに近くなるが、重力の影響もあるために条件出しが煩雑になる。したがって、接着面の形状をレンズ３の中心を通る鉛直線とレンズの光軸線とがなす平面に対して略左右対称とするほうが望ましい。
【００５２】
図１では、レンズ支持部２−ａの接着面の形状は、レンズ３の外周円よりもわずかに径の大きな円弧状の形状であって、光源１の光軸と同心となるように該ベース２に形成されている場合について示してある。この形状の利点は、接着面において接着層の厚みを均一化出来ることにある。こうすることによって、接着剤４の塗布ムラや硬化のムラを防止し、さらに全体的に薄い接着層で済むので、接着時間の短縮化や接着剤の量の節約などが実現できる。さらに、レンズ支持部２−ａの接着面の形状は、半円以下の円弧としている。こうすることによって、紫外線硬化型接着剤４の収縮方向が、レンズ３に対して下側だけとなり、接着剤４の収縮によるレンズ３の移動方向のばらつきを低減させることが可能になる。
【００５３】
紫外線硬化型接着剤４を硬化させるためには接着面に紫外線を照射しなければならない。そのためには接着面まで紫外線が到達しなければならない。通常、レンズ３は透明なのでレンズ３のある側から紫外線を照射すればいい。しかし、レンズ側面は粗く研磨されていることが多く、紫外線透過率は決していいとは言えない。そこで、紫外線硬化による接着時間をより短縮するためには、レンズ側のみならず、レンズ支持部側からも紫外線を照射してやることが望ましい。そのためにはレンズ支持部側も紫外線を通すようにされなければならない。その手法としては、レンズ支持部２−ａに穴をあけることとレンズ支持部２−ａを透明にするという手法が挙げられる。いずれの場合も紫外線照射効率が向上し、接着時間の短縮化が実現できる。レンズ支持部２−ａに穴をあける場合、その穴形状は、レンズ３の中心を通る鉛直線とレンズ３の光軸線とがなす平面に対して略左右対称であるように設けられる（図５）。こうすることによって、光軸と直交する２方向のうち水平方向については、接着剤４の収縮条件のバランスが保たれて、全体としてレンズ３の移動量はゼロに近くなる。
【００５４】
レンズ３の位置調整は、レンズ３をチャッキングするためのチャック手段５とモニタ６によって行われる。レンズ３は接着前においてはチャック手段５に保持されており、チャック手段５とベース２は相対的にｘ、ｙ、ｚの３軸方向に調整自在である。さらに、レンズ３の光軸を中心とした回転方向を除く残りの２つの回転方向についても調整自在である。すなわち、図６に示すように、５自由度の位置調整機構を備えている。そして、半導体レーザ１を点灯させ、その光がレンズ３を通過してモニタ６に入るようにモニタ６を設置する。モニタ６は、ビームの位置検出やビームスポットの形状などがモニタリング出来る機能を有している。したがって、ビーム位置やビームスポットの形状（すなわち焦点位置の調整）が最適となるように、モニタ６で観察しながらレンズ位置の調整を行うことによって、正確なレンズ位置決めを行うことが可能になる。
【００５５】
正確なレンズの位置決めが行われた後に、紫外線硬化型接着剤４を注入してレンズ３を接着するが、先にも述べたとおり、紫外線硬化型接着剤４は硬化しているときに収縮するという特徴がある。ここで問題となるのは、接着過程においてレンズ３の位置が接着剤の収縮により、少しずつ変化することである。たとえば、チャック手段５でレンズ３を完全に固定した場合、接着完了後には接着剤４の収縮により、レンズ３とレンズ支持部２−ａとの間にストレスが発生する。これにより接着剤４の剥離が起きやすくなる。さらに、チャック機構５を離したときに、レンズ３に急激な反動が発生し、レンズ３の位置精度が損なわれるなどの問題が発生する（図７）。
【００５６】
上記の問題に対応するために、レンズ３をチャックするためのチャック手段５を以下に述べるように構成する（図１参照）。チャック手段５は図１に示すように２本のアームＡ、Ｂで構成されており、レンズ３の側面を２本のアームＡ、Ｂで挟み込むようにレンズ３をチャッキングしている。このとき、レンズ３をチャッキングしている部分は、レンズ３が接着される部分に重なってはならないことは言うまでもない。そして、２本のアームのうち一方のアーム（アームＡ）は、レンズ３を１平面で支えていて固定されて設けられており、もう一方のアーム（アームＢ）はレンズ３をレンズ３の光軸方向に形成された２本の稜線で支えていて退避自在に与圧するように設けられている。このようにすることによって、レンズ３を姿勢よく定められた位置にチャッキングすることが可能になる。
【００５７】
アームＡのレンズ３を支える面は、鉛直方向に形成されている。こうすることによって、紫外線硬化型接着剤４の収縮によるレンズ３の移動を、アームＡの鉛直面に沿わせるように移動方向を限定するようになる。したがって、水平方向へのレンズ３の移動を防止することが可能になる。
【００５８】
アームＢについては、レンズ３の光軸方向に形成された２本の稜線でレンズを支持しており、その２稜線はレンズ３に対して互いに略上下対称の位置にあるように構成されている。こうすることによって、レンズを姿勢正しく正確に保持することが出来るとともに、紫外線硬化型接着剤４の収縮と共にレンズ３がアームＡの鉛直面に沿って上下移動する際に確実にアームＢが退避可能となる。
【００５９】
また、アームＢのレンズ３を支持する部分の形状は、図８に示すように、２本の稜線以外にも、レンズ３の光軸方向に形成された１本の稜線と前記稜線上にない１点であっても、同一直線上にない３点であってもよい。いずれの場合でもレンズを姿勢よく定められた位置にチャッキングすることが可能になる。
【００６０】
紫外線硬化型接着剤４の収縮によるレンズ３の移動が発生したときのアームＢの動作を図９に示す。レンズ３はアームＢによって常にアームＡ側に押さえつけられているので、レンズ３はアームＡに沿って鉛直方向に移動する。一方、アームＢは退避自在に設けられているので、レンズ３が移動するにつれて退避するようになる。このとき、アームＢの退避可能な方向は、アームＡのレンズ３を支える面に対して略垂直な方向としている。こうすることによって、紫外線硬化型接着剤４の収縮と共にレンズ３がアームＡの鉛直面に沿って上下移動する際に確実にアームＢが退避可能となる。
【００６１】
接着前の状態においては、アームＢは確実にレンズ３を固定する必要があるため、アームＢのレンズ３に対する与圧力はある程度強めにする必要がある。しかし、紫外線硬化型接着剤４が硬化して収縮していくにつれて移動するレンズ３の動きに対して妨げとなるような与圧力であってはならない。その与圧力が強すぎると硬化している接着剤４にストレスがかかり、接着剤４の剥離等の原因となる。そして、接着が完了した時点においては、アームＢのレンズ３に対する与圧力は出来るだけ少ない方がいい。なぜなら、与圧力が強い場合、強いストレスがレンズ３にかかっている可能性があり、その場合、チャック機構５を離したときに、レンズ３に急激な反動が発生し、レンズ３の位置精度が損なわれるからである。したがって、アームＢのレンズ３に与える与圧力は、アームＢがレンズ３から退避するにつれて弱くなるようにしている。接着が完了した状態において、アームＢが最も退避した状態なので、接着が完了した時点でアームＢの与圧力が最も小さくなる。この具体例としては、図９に示すようなマグネット方式がある。マグネットは両極が遠ざかるにつれて磁力が小さくなることを利用したものである。
【００６２】
以上の構成により、レンズ３の動きはアームＡの面で鉛直方向にのみ規定され、さらに紫外線硬化型接着剤４の収縮によるストレスを逃がしているので、組み付け精度のばらつきが少なく、且つ接着強度が損なわれないレンズ接着を行うことが可能になる。
【００６３】
光源装置の製造方法は以上で説明した通りであるが、このような構成で製造された光源装置は、非常に精度が高く接着強度も確保されていてとても有用である。また、この製造方法で、１個のベース上に、半導体レーザとレンズとの組み合わせを複数個設ける、いわゆるマルチビーム光源装置を製造することも可能である。この場合、各ビームの相対位置精度が精密に確保されているため、光源装置としては効率がよく、更に有用である。
【００６４】
これらの光源装置は、記録装置に用いられると威力を発揮する。近年、高解像度で高画質で且つ高速な記録が要求されており、本発明の製造方法で製造された光源装置は、高精度が保障されているので、これらの記録装置のニーズに合致している。さらにマルチビーム光源装置の場合は高速で広幅画像を得ることが可能になる。
【００６５】
記録装置の具体例としては、印刷版の製版機、印刷版の版下作成のイメージセッタ、感光体ドラムを利用したプリンタ、複写機、ファックスなどが挙げられる。
【図面の簡単な説明】
【００６６】
【図１】本発明の光源装置の構成を示す。
【図２】レンズ支持部がＶ字型の場合の例を示す。
【図３】レンズ支持部が平面の場合の例を示す。
【図４】紫外線硬化型接着剤の収縮によるレンズの移動を説明する図である。
【図５】レンズ支持部にあけられた紫外線透過のための穴を示す。
【図６】５自由度の位置調整機構を示す。
【図７】紫外線硬化型接着剤の収縮による不具合の発生を示す。
【図８】アームＢのレンズチャッキング部の形状例を示す。
【図９】レンズ接着時のチャック機構の動作を説明する図である。
【符号の説明】
【００６７】
１  光源（半導体レーザ）
２  ベース
２−ａ  レンズ支持部
３  レンズ
４  紫外線硬化型接着剤
５  チャック手段
６  モニタ
【図１】
2005077449.tif 000003
【図２】
2005077449.tif 000004
【図３】
2005077449.tif 000005
【図４】
2005077449.tif 000006
【図５】
2005077449.tif 000007
【図６】
2005077449.tif 000008
【図７】
2005077449.tif 000009
【図８】
2005077449.tif 000010
【図９】
2005077449.tif 000011